(57)【特許請求の範囲】
【請求項１】
遊技盤内で展開されるパチンコゲームの入賞に対する所定数の賞球と、遊技用の設定数の貸し球とを夫々区分して払出し得る遊技機にあって、
前記遊技機裏側の所定部位に着脱可能に装着されるケース体(50)と、このケース体(50)の一側部に上下に延在させて形成され、球貯留供給経路(16)側から供給されたパチンコ球を通入出し得る球通路(56)と、前記ケース体(50)に形成され、前記球通路(56)の下流部に接続して前記ケース体(50)の一側部側から他側部側に向かうにつれて下方傾斜する球案内路(59)から２方向に分岐状態で連通され、ケース体(50)の他側部側に位置して該球案内路(59)の傾斜下端に接続する賞球出路(60)およびケース体(50)の一側部側に位置して該球案内路(59)の傾斜上端側に接続する貸し球出路(61)と、前記ケース体(50)に組込まれ、球払出し指令条件に基いて作動・停止制御される電動制御手段(68)を利用して位置切換えされる規制部材(72)により、球切り回転可能な球送り体(66)を回転不能と回転可能との状態に切換え得る球払出し機構部(M)と、前記ケース体(50)に組込まれ、球払出し指令条件に基いて作動・停止制御される電動切換え手段(85/110)を利用して球案内路(59)と賞球出路(60)とを連通する第１姿勢および球案内路(59)と貸し球出路(61)とを連通する第２姿勢に位置切換えされる流路変向部材(81)により、前記球案内路(59)に対する賞球出路(60)と貸し球出路(61)との個々の連通・遮蔽を切換え得る流路変向機構部(N)と、互いに１球分の間隔で前記球通路(56)に臨ませて配置され、前記球送り体(66)の外周に形成されて球通路(56)に臨む球受け部(67)で受けた球を検出する第１検出具(74)および球送り体(66)の回転により球受け部(67)から球通路(56)に放出された球を検出する第２検出具(75)を有する検出手段と、前記流路変向部材(81)より下流側に位置して前記賞球出路(60)に配設され、該賞球出路(60)に排出される賞球をカウント検出する賞球検出手段(91)と、前記流路変向部材(81)より下流側に位置して前記貸し球出路(61)に配設され、該貸し球出路(61)に排出される貸し球をカウント検出する貸し球検出手段(92)とを備え、全体が前記ケース体(50)単位で取扱い可能に構成した球払出装置(K)と、
球貸し信号または入賞信号の入力による球払出しの終了後に、先の信号の後に入力された信号に基づいて前記電動制御手段(68)および前記電動切換え手段(85/110)を順次制御する優先比較処理部(97)を有し、前記第２検出具(75)の検出に基づいて賞球および貸し球の払出し数を制御する払出し制御基板(36)とを備え、
前記流路変向機構部(N)は、前記ケース体(50)における前記球案内路(59)から賞球出路(60)と貸し球出路(61)とに分岐する連絡口部に枢支された前記流路変向部材(81)を常には第１姿勢へ向けて付勢して、前記電動切換え手段(85/110)の停止時に、前記球案内路(59)に賞球出路(60)を連通すると共に先端が球案内路(59)の上流側をなす壁部に支持されて該球案内路(59)の下側を構成した状態で貸し球出路(61)を遮蔽し、該電動切換え手段(85/110)の作動により該流路変向部材(81)を第１姿勢から第２姿勢に切換え保持して、湾曲面を貸し球出路(61)側に臨ませた状態で前記球案内路(59)に貸し球出路(61)を連通すると共に賞球出路(60)を遮蔽するよう構成し、
前記球払出装置(K)における前記球払出し機構部(M)の球送り体(66)の球切り回転に基いて球通路(56)の下流へ払出されたパチンコ球を、賞球出路(60)からの賞球と、貸し球出路(61)からの貸し球とに区分して排出し得るように設定した
ことを特徴とするパチンコ遊技機。
【発明の詳細な説明】
【０００１】
【発明の属する技術分野】
この発明は、パチンコ遊技機に係り、更に詳しくは、遊技盤内で展開されるパチンコゲームの入賞に対する所定数の賞球と、遊技用の設定数の貸し球とを夫々区分して払出し得るパチンコ遊技機に関するものである。
【０００２】
【従来の技術】
パチンコ機やアレンジボール機に代表されるこの種の遊技機では、遊技ホール内の設置枠台(通称「島」)に縦向きの姿勢で設置されて遊技に供され、そして機内の遊技盤内で展開されるパチンコゲーム中に成立した入賞(例えばセーフ球の発生や図柄組合わせによる得点)に対し、機裏側の機構セット盤に形成配置した球貯留供給経路部に貯留されたパチンコ球(貯留球)を、払出装置の作動のもとに、所定数の賞球として機前側の上球皿または下球皿側へ給出するようになっている。一方、貸し球用のカードおよびカードユニットを利用して貯留球を貸出し得るタイプの遊技機(一般に「カード式パチンコ遊技機」ともいう)では、前述した賞球払出しとは別に、遊技者による適正な球貸し操作に応答して前記払出装置が作動されることにより、所定数の貸し球として上球皿側へ給出されるようになっている。
【０００３】
しかしこのようなパチンコ機にあっては、セーフ球の発生によるセーフ球検出装置からの入賞信号と、前記カードユニット側からの貸し球信号とが略同時に出力された場合には、賞球と貸し球とが連続的に払出されるため、払出される遊技球が賞球または貸し球の何れなのか区別できないうえに、正確な払出し個数の確認が困難な問題点を内在していた。そこで近年に至っては、前記払出装置の下流部側に切換え装置を設けると共に、賞球用の排出路と貸し球用の排出路とを別々に形成し、該切換え装置の作動下に賞球は賞球用の排出路側へ排出し、貸し球は貸し球用の排出路側へ排出するよう制御することで、賞球の払出し確認と貸し球の払出し確認とを正確に行ない得るようにした提案がなされている。
【０００４】
【発明が解決しようとする課題】
ところで前記払出装置は、球貯留供給部の下流部における所要部位に設置され、また切換え装置は該払出装置の直ぐ下流部に隣接して設置されるものであり、夫々の装置が密接な互いに連動制御されることにより、貯留球を賞球として払出したり、貸し球として払出し得るようになっている。しかるに、これら払出装置と切換え装置とが、上下に隣接して設置されると共に連動して制御されるものであるにも拘らず、別の装置として独自に設計および製作されており、製作コストが嵩んでしまう欠点を内在していた。また、払出装置と切換え装置とを上下に連設した際にはかなり大型となるから、当該装置の外形寸法を前提としたサイズの設置部を機構セット盤に確保しなければならず、球排出経路全体の設計に少なからず制約を受けることとなっていた。更に、前記機構セット盤に対する組付作業においては、払出装置と切換え装置を別々に位置決めセットして設置しなければならないから、組付けが面倒になると共に時間が掛かり、遊技機の組立てに係るコスト低減および合理化の障害となっていた。
【０００５】
【発明の目的】
本発明は、前述した従来の技術に内在している前記課題に鑑み、これを好適に解決するべく提案されたものであって、１つのケース体内に、球の払出し作動をなす球払出し機構部と、球の排出切換え作動をなす流路変向機構部とを組込み、全体がケース体単位で取扱い可能に構成されると共に小型・コンパクト化を図った球払出装置を、機裏側の所定部位に着脱可能に装着するよう構成したパチンコ遊技機を提供することを目的とする。
【０００６】
【課題を解決するための手段】
前記課題を克服し、所期の目的を好適に達成するため、本発明に係るパチンコ遊技機は、
遊技盤内で展開されるパチンコゲームの入賞に対する所定数の賞球と、遊技用の設定数の貸し球とを夫々区分して払出し得る遊技機にあって、
前記遊技機裏側の所定部位に着脱可能に装着されるケース体と、このケース体の一側部に上下に延在させて形成され、球貯留供給経路側から供給されたパチンコ球を通入出し得る球通路と、前記ケース体に形成され、前記球通路の下流部に接続して前記ケース体の一側部側から他側部側に向かうにつれて下方傾斜する球案内路から２方向に分岐状態で連通され、ケース体の他側部側に位置して該球案内路の傾斜下端に接続する賞球出路およびケース体の一側部側に位置して該球案内路の傾斜上端側に接続する貸し球出路と、前記ケース体に組込まれ、球払出し指令条件に基いて作動・停止制御される電動制御手段を利用して位置切換えされる規制部材により、球切り回転可能な球送り体を回転不能と回転可能との状態に切換え得る球払出し機構部と、前記ケース体に組込まれ、球払出し指令条件に基いて作動・停止制御される電動切換え手段を利用して球案内路と賞球出路とを連通する第１姿勢および球案内路と貸し球出路とを連通する第２姿勢に位置切換えされる流路変向部材により、前記球案内路に対する賞球出路と貸し球出路との個々の連通・遮蔽を切換え得る流路変向機構部と、互いに１球分の間隔で前記球通路に臨ませて配置され、前記球送り体の外周に形成されて球通路に臨む球受け部で受けた球を検出する第１検出具および球送り体の回転により球受け部から球通路に放出された球を検出する第２検出具を有する検出手段と、前記流路変向部材より下流側に位置して前記賞球出路に配設され、該賞球出路に排出される賞球をカウント検出する賞球検出手段と、前記流路変向部材より下流側に位置して前記貸し球出路に配設され、該貸し球出路に排出される貸し球をカウント検出する貸し球検出手段とを備え、全体が前記ケース体単位で取扱い可能に構成した球払出装置と、
球貸し信号または入賞信号の入力による球払出しの終了後に、先の信号の後に入力された信号に基づいて前記電動制御手段および前記電動切換え手段を順次制御する優先比較処理部を有し、前記第２検出具の検出に基づいて賞球および貸し球の払出し数を制御する払出し制御基板とを備え、
前記流路変向機構部は、前記ケース体における前記球案内路から賞球出路と貸し球出路とに分岐する連絡口部に枢支された前記流路変向部材を常には第１姿勢へ向けて付勢して、前記電動切換え手段の停止時に、前記球案内路に賞球出路を連通すると共に先端が球案内路の上流側をなす壁部に支持されて該球案内路の下側を構成した状態で貸し球出路を遮蔽し、該電動切換え手段の作動により該流路変向部材を第１姿勢から第２姿勢に切換え保持して、湾曲面を貸し球出路側に臨ませた状態で前記球案内路に貸し球出路を連通すると共に賞球出路を遮蔽するよう構成し、
前記球払出装置における前記球払出し機構部の球送り体の球切り回転に基いて球通路の下流へ払出されたパチンコ球を、賞球出路からの賞球と、貸し球出路からの貸し球とに区分して排出し得るように設定したことを特徴とする。
【０００７】
【作用】
本発明に係るパチンコ遊技機では、賞球および貸し球の払出しを行なう球払出装置が、球払出し機構部と流路変向機構部とを１つのケース体内に組込むことにより小型でコンパクトに形成され、遊技機裏側の所要位置に設置するに際し、設置部面積を小さく設定して他の部品,部材の設置面積を大きく確保し得る。また、球払出装置がケース体単位で取扱い得るので、保管,管理等が容易である一方、遊技機裏側の所要位置に対する組付けおよび取外しも簡単かつ容易に行ない得る。
【０００８】
そして、セーフ球に対する賞球の払出しに際しては、球払出装置の流路変向機構部において、電動切換え手段の制御のもとに流路変向部材を切換え変位して球通路と賞球出路とを連通させ、次いで球払出し機構部において、電動制御手段の制御のもとに球送り体を回転制御することで、球貯留供給経路側から供給されるパチンコ球が、賞球として球通路から賞球出路側へ通出案内される。また、貸し球の払出しに際しては、球払出装置の流路変向機構部において、電動切換え手段の制御のもとに流路変向部材を切換え変位して球通路と貸し球出路とを連通させ、次いで球払出し機構部において、電動制御手段の制御のもとに球送り体を回転制御することで、球貯留供給経路側から供給されるパチンコ球が、貸し球として球通路から貸し球出路側に通出案内される。
【０００９】
【発明の実施の形態】
次に、本発明に係るパチンコ遊技機につき、好適な実施例を挙げて添付図面を参照しながら、以下詳細に説明する。なお本実施例では、機裏側の貯留パチンコ球を、パチンコゲーム中の入賞成立(セーフ球発生)に対する賞球として払出し得る一方、遊技用の球貸し操作に対する貸し球として払出し得るタイプのパチンコ機が前提とされる。
【００１０】
そこで、先ず本実施例に係るパチンコ機について、図１および図２を参照しながら要約説明する。このパチンコ機Ｐは、その基本的な構成として、固定用の外郭枠とされる外枠Ａの開口前面側に、開閉用の搭載枠とされる前枠Ｂが、連結支持手段および施錠手段等を利用して着脱および開閉可能に組付けられている。そして、この前枠Ｂの前面側には、遊技機共通用の構成部材である横開き式のガラス扉Ｄを組付けた窓枠Ｃと、このガラス扉Ｄの下部において窓枠Ｃに対して着脱および開閉可能に組付けられる開閉セット盤の前側にセットされた上球皿Ｅと、下段に位置する下球皿Ｆおよび打球発射装置Ｇ等が組付けられ、また後面側に機構セット盤Ｈが装備されている。また、前枠Ｂ裏側の収容枠体１０の正面内部に、所要の遊技領域を構成した遊技盤Ｉが着脱交換可能にセットされている。また、貸し球の払出し制御に必要とされる球貸しシステム(カード式)は、パチンコ機Ｐの側方(外枠Ａの隣接部位)に設置されて各電子制御部と接続されている。なお、賞球の払出しおよび貸し球の払出しの報知に供される手段として、前記ガラス扉Ｄの上部にランプを具備した報知手段４７が配設される一方、前記上球皿Ｅの外郭ケース内部にスピーカを具備した報知手段４８が配設されている。
【００１１】
前記機構セット盤Ｈは、前枠Ｂの裏側に位置する前記遊技盤Ｉセット用の保持枠１１の裏側に着脱可能に装備され、前記保持枠１１に対応し得る方形サイズに樹脂成形された本体１３の中央部に遊技盤裏面の点検用の窓口１４が開口されて、これに裏カバー１５が開閉および着脱可能に取着されており、この窓口１４の外周囲部に球貯留供給経路部１６等が配設されている。また、この球貯留供給経路部１６の下端部に、カセット形態とされる電動制御式の球払出装置Ｋが設置される一方、この球払出装置Ｋの下方に賞球通出路２４と貸し球通出路２５とが形成され、両通出路２４,２５の合流部と上球皿Ｅ側に連通する球出口２８との間が第１球排出路２６とされると共に、球出口２８から下球皿Ｆとの間が第２球排出路２７とされ、前記球貯留供給経路部１６に貯留された所定数のパチンコ球が、球払出装置Ｋの作動により賞球または貸し球として払出されるようになっている。なお、機構セット盤Ｈのその他の構成として、前記窓口１４の下方に、アウト球およびセーフ球を機外へ排出する処理路２９,３０が形成されると共に、セーフ球検出処理装置Ｌおよび賞球満杯検出装置３２等が夫々設置される(図３参照)。また図２中、符号３３は電源部(ＡＣ２４Ｖ)に接続されるターミナル基板、符号３４はゲーム内容を制御する第１電子制御装置、符号３５はセーフ球検出処理並びに貯留球払出し(賞球と貸し球)を制御する払出し制御基板(図１０参照)３６を有する第２電子制御装置を夫々示す。
【００１２】
前記セーフ球検出処理装置Ｌは、セーフ球を１個ずつ停留検出して賞球払出し後に解放通出する電動形態であって、前記処理路２９と連通する通路１０１を形成した本体１００に、該通路１０１内のセーフ球を１個ずつ通過検出するセーフ球検出スイッチ３１と、このスイッチ３１の上,下方に位置するストッパー部１０２ａ,１０２ｂを形成して、１回毎の処理作動によりセーフ球に対する拘束と解放とによる通入出規制を行なうレバー状の規制処理部材１０２と、同部材１０２を各規制状態に交互に切換え操作する電磁ソレノイド１０３とを組付けて、全体が本体１００単位で構成,取扱い得るようになっている。なお、セーフ球検出処理装置Ｌとしては、セーフ球を連続検出する型式を採用可能で、前記セーフ球検出スイッチ３１で検出した個数分に対応して、前記球払出装置Ｋから設定数の賞球を払出すようにしてもよい。
【００１３】
前記球貯留供給経路部１６は、機構セット盤Ｈの上部に外向き開口状態で凹部に合わせて設置される球容器(「球タンク」とも云う)１７と、この球容器１７の下部に取着される斜状レール形の整流樋１８と、この整流樋１８の下流端に連絡するように前記本体１３に形成された送出路１９とから構成され、相当量のパチンコ球を収容(貯留)し得るようになっている。そして、前記整流樋１８の下流部に貯留球検出スイッチ２０が配設され、１回の貸し球操作で必要とされる貯留球が、前記送出路１９内に貯留されているか否かを検出するようになっている。また、前記送出路１９の近傍に球抜き操作手段としての球抜きスイッチ２１が配設され、機前面に形成された操作孔２２から挿入した細長の操作棒で操作可能となっている。なお、前記送出路１９の下流端近傍には、球払出装置Ｋの脱着作業に際して前記球貯留供給経路部１６に貯留された貯留球の球抜けを防止する球止ピンを差込むための係止孔２３が形成されている(図３参照)。
【００１４】
このような本実施例のパチンコ機Ｐは、遊技ホール内の設置枠台(通称「島」)の各区画枠内に前記球貸しシステムと共に設置されて縦向きで遊技に供される。この状態において、図示しないが、各列毎の設置枠台の補給設備における配球ユニットから必要時に供給される相当量のパチンコ球を、前記球貯留供給経路部１６の球容器１７内に受入れて整流樋１８および送出路１９内に収容しており、パチンコゲーム中に発生したセーフ球に対して所定数の賞球として払出される。一方、前記球貸しシステムでは、前記貯留球検出スイッチ２０の球有り検出条件において、使用するカードの有効金額内における一定額単位に対して設定数球の貸出し制御をなすもので、カードリーダ３７およびカード挿入口３８等を有するカードユニットＪが外枠Ａ外側に装備されて(図１,図２参照)、前枠Ｂの裏側下部に設置された中継制御部(インターフェースボードともいう)３９に、カードリーダ３７と上球皿Ｅ側の球貸し操作部４０および前記第２電子制御装置３５が夫々接続されている。そして、カードリーダ３７の球貸し判読制御処理条件に応答して後述の球払出装置Ｋが作動されることにより、払出された貸し球が上球皿Ｅへ供給されるようになっている。なお、前記球貸し操作部４０は、表示部４１、球貸しボタン４２、カード返却ボタン４３等がユニット化されている。
【００１５】
前述した本実施例のパチンコ機Ｐに実施される前記球払出装置Ｋは、前記第２電子制御装置２２で制御作動されるもとで、セーフ球に対する賞球とカードユニットＪに対する貸し球との区分排出制御をなす電子制御作動形態のもので、図２および図３に略示するように、前記機構セット盤Ｈの設置部内に着脱可能にセットされている。この球払出装置Ｋは、基本的な構成として図４〜図７に示すように、縦長方形箱状にユニット化された合成樹脂製のケース体５０内に球流通路を区画形成すると共に、この球流通路に臨む部位に電動式の球払出し機構部Ｍと流路変向機構部Ｎとを夫々組付けて、前記ケース体５０単位で取扱い得るようになっている。そして機構セット盤Ｈの設置部、つまり前記球貯留供給経路部１６の送出路１９下端と、賞球通出路２４と貸し球通出路２５の上端との間に形成された凹室部４５内にケース体５０単位で収容してビス固定される。
【００１６】
このような球払出装置Ｋにおいて、前記ケース体５０は、凹室部４５内の設置面に密着的に整合する１枚のベース部材５１と、このベース部材５１に組付けられるバケット状のカバー部材５２とから構成され、該カバー部材５２の開口部に前記ベース部材５１が整合密着して全体として矩形中空体を呈している。そして、ケース体５０における略上半分の内部空間が前記球払出し機構部Ｍ用の第１設置部５３として画成され、下半分の内部空間が前記流路変向機構部Ｎ用の第２設置部５４として画成されている。前記第１設置部５３には、その一側部(図５における右側)に、１列の球通路５６を垂下状に形成した樋部材５５が組込まれ、ベース部材５１に形成したピン５１ａとカバー部材５２に形成したピン５２ａとが、係着孔５７,５７に嵌入することによりケース体５０に固定される。また前記第２設置部５４には、前記球通路５６の下流部に整合する球案内路５９と、該球案内路５９から２方向に分岐状態で連通する賞球出路６０および貸し球出路６１とを形成した球案内部材５８が組込まれ、ベース部材５１に形成したピン５１ｂとカバー部材５２に形成したピン(図示せず)とが、係着孔６２,６２に嵌入することによりケース体５０に固定される。
【００１７】
前述のケース体５０内の第１設置部５３に組込まれる球払出し機構部Ｍは、球貯留供給経路部１６からの球を１個ずつ通入出検出するもので、球払出し指令条件に基いて作動・停止制御される電動制御手段を利用して位置切換えされる規制部材により、球切り回転可能な球送り体を回転不能と回転可能との状態に切換え得るようになっている。すなわち球払出し機構部Ｍは、図４および図５に例示するように、前記ベース部材５１に立設固定された支持軸６５に回転自在に軸支された回転スプロケット状の球送り体６６と、球送り体６６の回転・停止規制をなす規制片(規制部材)７２の切換え作動源である電磁ソレノイド(電動制御手段)６８と、第１,第２検出具(検出手段)７４,７５とを備えている。前記球送り体６６は、外周に形成した球受け部６７(図示５個)を前記球通路５６内に臨ませ、送出路１９から落下する１個ずつの球を受けて回転しながら放出するようになっている。また電磁ソレノイド６８は、図示のフラッパー形式例において、ベース部材５１に固定されたＬ形金属製の支枠６９にコイルを巻回した励磁力発生部(ボビンともいう)７０を装着し、通電時に発生する励磁力を磁着部７１に集中的に作用し得るようになっている。これに対して規制片７２は、前記支枠６９の一端に傾動可能に支持されると共にバネ７３で付勢され、磁着部７１の吸着力とバネ７３の付勢力を利用して球送り体６６の球受け部６７に係合,離隔して、該球送り体６６を拘束,解放するようになっている。一方、第１,第２検出具７４,７５は、互いに１球分の検出間隔で配置されて球通路５６に臨み、通入球と通出球とを個々に検出するよう構成される。
【００１８】
このような球払出し機構部Ｍでは、電源投入時の作動前状態において、電磁ソレノイド６８の消磁(ＯＦＦ)に伴って磁着部７１から解放された規制片７２が、球送り体６６を拘束した右上がり姿勢に付勢保持されている(図５参照)。従ってこの球送り体６６が、前記球貯留供給経路部１６内に投入されて送出路１９から球通路５６に入っている最先行(最下端)球を、球受け部６７に受入れた状態で停止していることにおいて、第１検出具７４がこの球を直接有検出する。一方、電磁ソレノイド６８の励磁(ＯＮ)に伴って磁着部７１に吸着された規制片７２が、右下がり姿勢に変化して球送り体６６を解放すると、該球送り体６６が受けた１球の重みで回転して同球を放出することにおいて、第２検出具７５が放出球を直接有検出すると同時に電磁ソレノイド６８が消磁復帰されて、球送り体６６が拘束されるようになっている。なお第１,第２検出具７４,７５は、ともに光学センサータイプが使用される例において、前記第２の電子制御装置３５側に接続される制御基板７８に配置された発光ダイオード７６と、回路基板７９に配置された受光ダイオード７７とが組とされる(図４参照)。
【００１９】
また、前記ケース体５０内の第２設置部５４に組込まれる前記流路変向機構部Ｎは、球払出し指令条件に基いて作動・停止制御される電動切換え手段を利用して位置切換えされる流路変向部材により、前記球通路５６に対する賞球出路６０と貸し球出路６１との個々の連通・遮蔽を切換え得るようになっている。すなわち流路変向機構部Ｎは、図４および図５に示すように、前記ベース部材５１に立設固定された支持軸８０に揺動可能に枢支された揺動レバー形態の流路変向部材８１と、この流路変向部材８１を揺動変位させて位置切換えをなす作動片８９の切換え作動源である電磁ソレノイド(電動切換え手段)８５とを備えている。前記流路変向部材８１は、前記球案内路５９から賞球出路６０と貸し球出路６１とに分岐する連絡口部に位置し、球案内路５９と賞球出路６０とが連通した第１姿勢(図５,図８参照)と、球案内路５９と貸し球出路６１とが連通した第２姿勢(図９参照)とに揺動変位するようになっている。また電磁ソレノイド８５は、前記電磁ソレノイド６８と同様のフラッパー形式例において、ベース部材５１に固定されたＬ形金属製の支枠８６にコイルを巻回した励磁力発生部(ボビンともいう)８７を装着し、通電時に発生した励磁力を磁着部８８に集中的に作用し得るようになっている。これに対して作動片８９は、支枠８６の一端に傾動可能に支持されると共にバネ９０で付勢され、その傾動先端側が前記流路変向部材８１のボス部８２に形成した係止溝８３に突入係止している。
【００２０】
このような流路変向機構部Ｎでは、電源投入時の作動前状態において、電磁ソレノイド８５の消磁(ＯＦＦ)に伴って前記磁着部８８から開放された作動片８９が、前記バネ９０の付勢力のもとに図示反時計方向へ傾動し、これに従動する流路変向部材８１が時計方向へ揺動変位して第１姿勢に保持されるので、前記球案内路５９と賞球出路６０が連通した賞球払出し状態となる(図８参照)。一方、電磁ソレノイド８５の励磁(ＯＮ)に伴って磁着部８８に作動片８９が吸着されると、これに従動する流路変向部材８１が反時計方向へ揺動変位して第２姿勢に変位保持されるので、前記球案内路５９と貸し球出路６１が連通した貸し球払出し状態となる(図９参照)。なお、賞球出路６０と貸し球出路６１には、対応して賞球センサ(賞球検出手段)９１と貸し球センサ(貸し球検出手段)９２が配設され、賞球出路６０から通出される賞球と、貸し球出路６１から通出される貸し球とをカウント検出するようになっている。これら賞球センサ９１および貸し球センサ９２は、何れも光学センサータイプが使用される例において、前記第２電子制御装置３５側に接続される制御基板７８に、図４に示すように、発光ダイオード９３と受光ダイオード９４とが対向的に配設されて構成される。
【００２１】
前述のように構成された球払出装置Ｋは、ケース体５０単位で取扱うことができ、前記機構セット盤Ｈの凹室部４５に対して、ビス４６を利用して簡単かつ容易に固定される。そして、球払出装置Ｋが凹室部４５に固定された状態では、図３に示すように、球通路５６の球入口が前記送出路１９の球出口に整合し、賞球出路６０の球出口が賞球通出路２４の球入口に整合すると共に、貸し球出路６１の球出口が貸し球通出路２５の球入口に整合している。
【００２２】
ここで、本実施例のパチンコ機Ｐの各部に配設された電気部品類および前記球払出装置Ｋの電気部品類に係る入出力制御系統につき、図１０をもとに付記する。第２電子制御装置３５の前記払出し制御基板３６には、球払出し処理部９６,優先比較処理部９７,流路変向処理部９８および駆動制御処理部９９等が具備され、このうち球払出し処理部９６に前記第１検出具７４と第２検出具７５が接続され、優先比較処理部９７にセーフ球検出スイッチ３１とカードユニットＪが接続されると共に、流路変向処理部９８に賞球センサ９１と貸し球センサ９２とが接続されている。また前記駆動制御処理部９９は、払出し用の電磁ソレノイド６８と流路変向用の電磁ソレノイド８５および前記報知手段４７,４８が接続され、前記球払出し処理部９６および流路変向処理部９８からの信号を受けるようになっている。そして前記優先比較処理部９７は、セーフ球検出スイッチ３１からの検出信号とカードユニットＪからの球貸し信号とを区分検出する一方、夫々の信号入力タイミングをもとに各電磁ソレノイド６８,８５を適切に制御して賞球と貸し球の好適な区分払出しをなすようになっていると共に、前記報知手段４７,４８により払出し状態が区別報知される。
【００２３】
【本実施例の作用】
前述のように構成された本実施例のパチンコ機Ｐでは、該パチンコ機Ｐの組立製造時に、機構セット盤Ｈに形成した凹室部４５に球払出装置Ｋを簡単かつ容易に固定セットすることができる。すなわち球払出装置Ｋは、球払出し機構部Ｍと流路変向機構部Ｎとを１つのケース体５０内に組込んで該ケース体５０単位で取扱い得るから、簡単な位置決めおよびビス締め作業のみで凹室部４５に対して組付けることができ、組付け作業の合理化および簡単化が図られる。
【００２４】
前述のように構成された本実施例のパチンコ機Ｐでは、遊技ホール内の設置枠台にカードユニットＪと共に設置されて遊技に供し得る。そして、カードユニットＪに対するカードの挿入並びに機前側での球貸し操作により、機構セット盤Ｈの球払出装置Ｋから払出された貸し球を上球皿側へ給出して収容し得る。このもとで遊技操作(打球発射操作)を行なうことにより、機内の発射位置に１球ずつ送込まれた遊技球を遊技盤Ｉ内に打出して所要のゲームを展開し得る。そうして、ゲーム中に発生したアウト球を機構セット盤Ｈの処理路２９から機外へ排出し、またセーフ球を処理路３０からセーフ球検出処理装置Ｌに導入してセーフ球検出スイッチ３１で１球ずつ停留検出処理した後に機外へ排出する一方、このセーフ球の検出処理に対して球払出装置Ｋから設定数の賞球を払出して上球皿Ｅまたは下球皿Ｆへ給出するようになっている。
【００２５】
そこで、本実施例のパチンコ機Ｐにおける球排出作動形態について、各図を参照しながら説明する。先ず、セーフ球に対する賞球の払出しについては、図３に示す前記セーフ球検出処理装置Ｌでのセーフ球検出毎に、前記球払出装置Ｋでは、流路変向機構部Ｎが作動解除(電磁ソレノイド８５の消磁(ＯＦＦ))された条件のもとで球払出し機構部Ｍが作動制御される。すなわち、前記処理路３０から通路１０１に通入したセーフ球をセーフ球検出スイッチ３１が検出した条件にあって、流路変向機構部Ｎでは、バネ９０の付勢力のもとに作動片８９が傾動して、流路変向部材８１が第１姿勢に切換え保持されている(図８参照)。このもとで、球払出し機構部Ｍが作動されて電磁ソレノイド６８の励磁制御および規制片７２の切換えに伴う球送り体６６のピッチ回動により、所定数の球(例えば５〜１５個の賞球)が１球ずつ払出されて、球案内路５９から賞球出路６０へ通出された後に賞球通出路２４を介して第１球排出路２６へ排出され、球出口２８から上球皿Ｅまたは第２球排出路２７から下球皿Ｆへ給出される。そして、払出された所定数最後の賞球が第２検出具７５でカウント検出された時点に基いて、当該回の払出し作動が終了されて電磁ソレノイド６８の消磁、規制片７２の復帰に伴い球送り体６６が停止保持される。なお賞球として払出された球は、前記賞球出路６０を通過する際に賞球センサ９１でもカウント検出され、所定数の賞球が払出されたことを確認し得る。また、当該回の払出し終了後のセーフ球検出処理装置Ｌでは、払出し制御基板３６からのセーフ球解放指令に基いて、電磁ソレノイド１０３が１回作動(励磁と消磁)されることにより当該セーフ球を解放して機外へ排出し、次のセーフ球が検出位置に入って停止される。
【００２６】
また貸し球の払出しについては、前記球払出装置Ｋでは、先ず流路変向機構部Ｎが作動制御された条件のもとで、球払出し機構部Ｍが作動される。すなわち、貯留球検出スイッチ２０の球有り検出入力条件にあって、カード挿入口３８へカードが挿入されて球貸しボタン４２がスイッチ操作されると、流路変向機構部Ｎでは、電磁ソレノイド８５の励磁による作動片８９の傾動により、流路変向部材８１が揺動変位して第２姿勢に切換え保持される(図９参照)。これに次いで(例えば１秒後)球払出し機構部Ｍが作動されて電磁ソレノイド６８の励磁制御および規制片７２の切換えに伴う球送り体６６のピッチ回動により、所定数の球(例えば球貸し金額１００円に対して貸し球２５個)が１球ずつ払出され、流路変向部材８１で変向案内されながら球案内路５９から貸し球出路６１へ通出された後に貸し球通出路２５を介して第１球排出路２６へ排出され、球出口２８から上球皿Ｅへ給出される。そして、払出された所定数最後の貸し球が第２検出具７５でカウント検出された時点に基いて、当該回の払出し作動が終了されて電磁ソレノイド６８の消磁、規制片７２の復帰に伴い球送り体６６が停止保持される。なお貸し球として払出された球は、前記貸し球出路６１を通過する際に貸し球センサ９２でもカウント検出され、所定数の貸し球が払出されたことを確認し得る。
【００２７】
そして実施例のパチンコ機Ｐでは、前記球払出装置Ｋにおける賞球および貸し球の各払出し状態を、前記報知手段４７,４８を利用して当該パチンコ機Ｐの遊技者に区別報知する。なお、各報知手段４７,４８による賞球払出しや貸し球払出しの報知パターンは様々な形態が考えられるが、例えばランプを備えた報知手段４７においては、賞球払出し時は点灯表示として貸し球払出し時は点滅表示としたり、あるいは賞球払出し時は短い間隔の点滅表示として貸し球払出し時は長い間隔の点滅表示とする等の報知方法が考えられる。また、スピーカを備えた報知手段４８においては、賞球払出し時は連続音として貸し球払出し時は断続音としたり、賞球払出し時は短い間隔の断続音として貸し球払出し時は長い間隔の断続音としたり、更には音質を変化させて区別する報知方法等も考えられる。何れの報知手段４７,４８にあっても、賞球払出し状態と貸し球払出し状態とを遊技者に明確に区別報知することが可能である。
【００２８】
また前記球払出装置Ｋでは、例えばセーフ球検出スイッチ３１からのセーフ球の検出信号とカードユニットＪからの球貸し信号とが略同時に出力されたとしても、各検出信号の入力タイミングをもとに前記優先比較処理部９７から順次制御信号が出力されることにより、賞球払出しと貸し球払出しとが正確に制御される。そして、賞球払出し制御中にカードユニットＪから球貸し信号が出力された場合は、当該の賞球払出し終了後に貸し球払出し制御に移行すると共に、貸し球払出し制御中にセーフ球検出スイッチ３１からセーフ球検出信号が出力された場合は、当該の貸し球払出し終了後に賞球払出し制御に移行する。
【００２９】
このように本実施例のパチンコ機Ｐでは、球払出装置Ｋにおいて、流路変向機構部Ｎの流路変向部材８１を電磁ソレノイド８５で位置切換えすることにより、球払出し機構部Ｍの球送り体６６の球切り回転に基いて球通路５６の下流へ払出されたパチンコ球を、賞球出路６０からの賞球と貸し球出路６１からの貸し球とに区分して排出し得る。しかも賞球は、賞球センサ９１でカウント検出され、貸し球は貸し球センサ９２でカウント検出されるので、賞球の払出しと貸し球の払出しを正確に検出し得る。
【００３０】
また本実施例のパチンコ機Ｐでは、前述のように遊技ホール内の設置枠台に設置されて遊技に供されている適時に、前記球払出装置Ｋを凹室部４５から取外す必要がある場合も、ビス４６を弛み外すだけで該球払出装置Ｋをケース体５０単位で簡単かつ容易に取外すことが可能である。従って、例えばパチンコ機Ｐを廃棄処理するに際しては、部品毎の分解作業の迅速化および合理化を図り得る。なお、球払出装置Ｋの取外し時には、前記送出路１９の係止孔２３に球止ピンを差込んで前記球貯留供給経路部１６に貯留されている貯留球の球抜けを防止したもとで、前記球抜きスイッチ２１を操作(ＯＮ)して前記球払出し機構部Ｍを開放作動(電磁ソレノイド６８を励磁させる)させることで、球止ピンで球止めされているパチンコ球より下側のパチンコ球を上球皿Ｅや下球皿Ｆへ球抜きすることができる。また、係止孔２３に球止ピンを差込まない状態で球抜きスイッチ２１を操作(ＯＮ)することにより、前記球貯留供給経路部１６内の貯留球を上球皿Ｅや下球皿Ｆへ球抜きすることは可能である。
【００３１】
【変更例】
図１１は、パチンコ機Ｐの前記球払出装置Ｋに組込まれる流路変向機構部Ｎの変更例を例示したものであって、この変更例における流路変向機構部Ｎでは、流路変向部材８１を揺動変位させる電磁ソレノイド１１０を、小型で方形の外郭体１１１を有するロータリータイプとし、該外郭体１１１内に組込まれた励磁力発生部１１２に挿通した回動軸１１３を回動可能に支持して、その一端部を支点軸部１１３ａとして外枠体１１１外に延出した構造となっている。そして前記流路変向部材８１は、そのボス部８２に形成した係着孔１１４に前記支点軸部１１３ａを嵌入させることで、回動軸１１３に直接固定するようになっている。なお前記支点軸部１１３ａには、各端部を流路変向部材８１と外枠体１１１とに係止させて、該流路変向部材８１に付勢力を付与するねじりバネ１１５が配設されている。このような電磁ソレノイド１１０は、図４において、前記球案内部材５８における賞球出路６０と貸し球出路６１とを分岐する連絡口部に、前記流路変向部材８１を位置させた状態で球案内部材５８に固定される。これにより、電磁ソレノイド１１０の消磁(ＯＦＦ)により回動軸１１３がフリー状態にある場合には、前記ねじりバネ１１５の付勢力のもとに流路変向部材８１が第１姿勢に保持され、電磁ソレノイド１１０の励磁(ＯＮ)により回動軸１１３が所定方向へ回動変位した場合には、前記流路変向部材８１が第２姿勢に変化するようになっている。
【００３２】
また図１２は、賞球検出手段と貸し球検出手段の変更例を例示したもので、この変更例に係る賞球検出手段１２０と貸し球検出手段１２１は、近接スイッチや磁気センサ等を備えた球通過式スイッチとしたものである。このようなタイプであっても、賞球出路６０から通出される賞球と、貸し球出路６１から通出される貸し球のカウント検出を好適になし得る。
【００３３】
更に図１３は、貯留球を機外へ排出するための球抜き路１２５を第１球排出路２６の途中から分岐形成し、第１球排出路２６と球抜き路１２５との連絡口部に、球抜き切換え機構部１２６を別途配設したものである。すなわち球抜き切換え機構部１２６は、機構セット盤Ｈの本体１３裏側に設置される電磁ソレノイド１２７と、前記連絡口部で回動可能に設置されて前記電磁ソレノイド１２７のロッド１２８に連繋された切換え弁１２９とで構成されている。前記電磁ソレノイド１２７は、ロッド１２８にコイルバネ(図示せず)が配設されており、該ロッド１２８は常には延出する方向へ付勢されている。そして、電磁ソレノイド１２７の消磁(ＯＦＦ)によりロッド１２８が延出した状態では、前記切換え弁１２９は、賞球通出路２４,貸し球通出路２５と上球皿Ｅ側とを連通させた第１姿勢に保持され、電磁ソレノイド１２７の励磁(ＯＮ)によりロッド１２８が後退した状態では、該切換え弁１２９は、賞球通出路２４,貸し球通出路２５と球抜き路１２５とを連通させた第２姿勢に変位するようになっている。なお、球抜き切換え機構部１２６に関連する操作手段については、図２に示した球抜きスイッチ２１が検出(ＯＮ)することに応答して、前記電磁ソレノイド１２７および前記球払出し機構部Ｍにおける電磁ソレノイド６８とが、夫々設定時間に亘って励磁されるようになっている。また流路変向機構部Ｎに関しては、流路変向部材８１が第１姿勢(賞球払出し状態)または第２姿勢(貸し球排出状態)の何れにあっても貯留球は第１球排出路２６へ通出されるので、球抜き時には第１姿勢に保持したままとしてよい。
【００３４】
従って貯留球の球抜きについては、球抜き操作に基いて先ず前記球抜き切換え機構部１２６が作動され、次いで球払出し機構部Ｍが作動される。具体的には、前記球抜きスイッチ２１が操作(ＯＮ)されたことにより、球抜き切換え機構部１２６が切換え作動されて、電磁ソレノイド１２７の励磁により切換え弁１２９が第２姿勢に切換え保持され、これに次いで(例えば１.５秒後)球払出し機構部Ｍが開放作動されて、電磁ソレノイド６８の励磁により規制片７２が磁着変位されて球送り体６６を解放する。この結果、球送り体６６が球通路５６内の球を受けながら連続フリー回転するもとで、１球ずつ放出された球貯留供給経路部１６内の貯留球が、賞球出路６０,賞球通出路２４を介して第１球排出路２６へ通出された後、切換え弁１２９で変向案内されながら球抜き路１２５へ通出されて機外へ排出される。そうして、設定時間経過後の球抜き指令終了時に、球払出し機構部Ｍが原状復帰されて電磁ソレノイド６８の消磁により、規制片７２が変位復帰して球送り体６６を停止保持する。これに次いで(例えば３.５秒後)球抜き切換え機構部１２６が元状復帰されて電磁ソレノイド１２７の消磁により、前記コイルバネの付勢力のもとにロッド１２８が延出して切換え弁１２９が第１姿勢に復帰する。
【００３５】
【発明の効果】
以上説明した如く、本発明に係るパチンコ遊技機では、賞球および貸し球の払出しを行なう球払出装置を、球払出し機構部と流路変向機構部とを１つのケース体内に組込むことにより小型でコンパクトに形成したことにより、遊技機裏側の所要位置に対する設置面積を小さく設定して他の部品,部材の設置面積を大きく確保し得る利点がある。また、球払出装置がケース体単位で取扱い得るので、保管,管理等が容易となると共に、遊技機裏側の所要位置に対する組付け作業および取外し作業の簡単化および容易化を図り得る利点もある。そして、このような球払出装置では、流路変向機構部の流路変向部材を電動切換え手段で位置切換えすることにより、球払出し機構部の球送り体の球切り回転に基いて球通路の下流へ払出されたパチンコ球を、賞球出路からの賞球と貸し球出路からの貸し球とに区分して排出することができる。
球払出装置では、入賞信号と球貸し信号とが略同時に出力されたとしても、各信号の入力タイミングをもとに優先比較処理部から順次信号が出力されることにより、電動制御手段および電動切換え手段が適宜タイミングで作動され、賞球払出しと貸し球払出しとが正確に制御される。しかも賞球は、賞球検出手段でカウント検出され、貸し球は貸し球検出手段でカウント検出されるので、賞球の払出しと貸し球の払出しを正確に検出し得る。
【図面の簡単な説明】
【図１】本実施例の球貸しユニットを併設したパチンコ機の概略正面図である。
【図２】図１に示すパチンコ機の背面図である。
【図３】パチンコ機裏側の機構セット盤に配設した球処理部の背面図である。
【図４】実施例のパチンコ機に装着される球払出装置を分解状態で示す概略斜視図である。
【図５】実施例に係る球払出装置を一部破断状態で示す縦断正面図である。
【図６】実施例に係る球払出装置を一部破断状態で示す縦断側面図である。
【図７】実施例に係る球払出装置を一部破断状態で示す横断平面図である。
【図８】流路変向部材が第１姿勢に保持された賞球払出し状態で示す球払出装置の要部構成図である。
【図９】流路変向部材が第２姿勢に保持された貸し球払出し状態で示す球払出装置の要部構成図である。
【図１０】球払出し制御系統のブロック図である。
【図１１】流路変向機構部の変更例を示す斜視図である。
【図１２】賞球検出手段および貸し球検出手段の変更例を示す流路変向機構部の要部断面図である。
【図１３】球抜き路を設けた変更例に係る機構セット盤の球処理部を示す要部正面図である。
【符号の説明】
１６ 球貯留供給経路部
５０ ケース体
５６ 球通路
６０ 賞球出路
６１ 貸し球出路
６６ 球送り体
６８ 電磁ソレノイド(電動制御手段)
７２ 規制片(規制部材)
８１ 流路変向部材
８５,１１０ 電磁ソレノイド(電動切換え手段)
Ｋ 球払出装置
Ｍ 球払出し機構部
Ｎ 流路変向機構部
３６ 払出し制御基板
７４ 第１検出具
７５ 第２検出具
９１ 賞球検出手段(賞球センサ)
９２ 貸し球検出手段(貸し球センサ)
９７ 優先比較処理部
【図１】
0004164843.tif 000002
【図２】
0004164843.tif 000003
【図３】
0004164843.tif 000004
【図４】
0004164843.tif 000005
【図５】
0004164843.tif 000006
【図６】
0004164843.tif 000007
【図７】
0004164843.tif 000008
【図８】
0004164843.tif 000009
【図９】
0004164843.tif 000010
【図１０】
0004164843.tif 000011
【図１１】
0004164843.tif 000012
【図１２】
0004164843.tif 000013
【図１３】
0004164843.tif 000014